(57)【要約】  【課題】  良好な光学性能を保持しながら高精度の画素ずらしを可能とする、低コストでコンパクトなプロジェクション光学系を提供する。  【解決手段】  表示素子面Ｓｏの画像をスクリーン面Ｓｉ上に斜め拡大投影するプロジェクション光学系であって、パワーを有する曲面反射面を第１〜第４曲面ミラーＭ１〜Ｍ４に有し、そのうち有効光学領域が最大の曲面反射面を第４曲面ミラーＭ４に有する。画素ずらしに際し、最大曲面反射面を固定した状態で最大曲面反射面以外の反射面を微小に偏芯させることにより、スクリーン面Ｓｉ上において上下方向、左右方向、斜め方向、又は上下左右方向に画素ピッチの範囲内で画素シフトさせる。【選択図】      図１
2006154041.tif 000002
【特許請求の範囲】
【請求項１】
表示素子面の画像をスクリーン面上に斜め拡大投影するプロジェクション光学系であって、複数の反射面を有し、そのうちの少なくとも１つがパワーを有する曲面反射面であり、前記曲面反射面のうち有効光学領域が最大の曲面反射面を最大曲面反射面とすると、その最大曲面反射面を固定した状態で最大曲面反射面以外の反射面を微小に偏芯させることにより、スクリーン面上において上下方向、左右方向、斜め方向、又は上下左右方向に画素ピッチの範囲内での画素シフトを行うことを特徴とするプロジェクション光学系。
【請求項２】
前記微小に偏芯させる反射面を微小偏芯反射面とすると、その微小偏芯反射面が前記最大曲面反射面の縮小側に続けて配置されていることを特徴とする請求項１記載のプロジェクション光学系。
【請求項３】
前記微小に偏芯させる反射面を微小偏芯反射面とし、表示素子面の画面中心から射出して絞りの中心を通る光線を基準光線とすると、前記微小偏芯反射面に対して前記基準光線が成す入射光線及び反射光線を含む平面と、前記最大曲面反射面に対して前記基準光線が成す入射光線及び反射光線を含む平面と、が直交することを特徴とする請求項１又は２記載のプロジェクション光学系。
【請求項４】
前記微小に偏芯させる反射面を微小偏芯反射面とすると、前記最大曲面反射面と前記微小偏芯反射面との間に曲面反射面が少なくとも１面配置されていることを特徴とする請求項１記載のプロジェクション光学系。
【請求項５】
縮小側から順に絞りと前記微小偏芯反射面とが配置されていることを特徴とする請求項４記載のプロジェクション光学系。
【請求項６】
縮小側から順に前記微小偏芯反射面と絞りとが配置されていることを特徴とする請求項４記載のプロジェクション光学系。
【請求項７】
前記曲面反射面を合計４面有することを特徴とする請求項１〜６のいずれか１項に記載のプロジェクション光学系。
【発明の詳細な説明】
【技術分野】
【０００１】
本発明はプロジェクション光学系に関するものであり、例えば、デジタル・マイクロミラー・デバイス(digital micromirror device)やＬＣＤ(liquid crystal display)を表示素子とするプロジェクタに搭載され、表示素子面の画像をスクリーン面上に斜め拡大投影するプロジェクション光学系に関するものである。
【背景技術】
【０００２】
最近、家庭でのＢＳデジタル放送，ホームシアター等に用いられる画像表示装置として、デジタル・マイクロミラー・デバイスやＬＣＤを表示素子とした高性能かつ低価格なプロジェクタが普及しつつある。このため、狭い室内でもスペースを取らないような薄型のリアプロジェクタが強く求められており、より広角な投影光学系が必要となっている。また、表示情報量が以前に比べて非常に大容量となっていて、表示素子は従来よりも更に高解像度化されつつあり、なめらかできれいな高品質の画像が望まれている。
【０００３】
高解像度で安価なリアプロジェクタを達成するために、スクリーン面上での投影像を微少量(例えば画素の１／２だけ)シフトさせることにより見かけの画素数を増大させる、いわゆる画素ずらしが従来より行われている。画素ずらしを行うと画素同士が重なり合うため、スクリーン面上に投影する画素の輪郭が目立たなくなり、なめらかな画像を表示させることができる。しかも、表示素子の画素数はそのままでもスクリーン面上での表示情報量を増やすことができるため、解像度の向上による画像の高品位化を達成する上で画素ずらしは非常に有効である。画素ずらしを利用したプロジェクタとしては、ミラーを微小偏芯させることにより画素ずらしを行うものが特許文献１，３で提案されており、平板ガラスを微小偏芯させることにより画素ずらしを行うものが特許文献２で提案されている。
【特許文献１】特開平４−３１９９３７号公報
【特許文献２】特開平５−２２１７号公報
【特許文献３】特開平７−４９４７７号公報
【発明の開示】
【発明が解決しようとする課題】
【０００４】
しかし、特許文献１〜３で提案されているプロジェクタの構成では、屈折光学系のパワーで画像投影を行う構成になっているため、ミラーや平板ガラスの追加に伴う部品点数の増大やバックフォーカスの増大が、装置全体の大型化やコストアップを招いてしまう。特に、微小偏芯させるミラーや平板ガラスが大きい場合には、保持機構・偏芯機構等のメカ機構が大型化してしまい、さらに精度良く微小偏芯させるために複雑な機構が必要となる。これが更なるコストアップや大型化の原因となる。さらに、特許文献２で提案されているプロジェクタの場合、微小偏芯させる平板ガラスで色収差が発生するという問題もある。
【０００５】
本発明はこのような状況に鑑みてなされたものであって、その目的は、良好な光学性能を保持しながら高精度の画素ずらしを可能とする、低コストでコンパクトなプロジェクション光学系を提供することにある。
【課題を解決するための手段】
【０００６】
上記目的を達成するために、第１の発明のプロジェクション光学系は、表示素子面の画像をスクリーン面上に斜め拡大投影するプロジェクション光学系であって、複数の反射面を有し、そのうちの少なくとも１つがパワーを有する曲面反射面であり、前記曲面反射面のうち有効光学領域が最大の曲面反射面を最大曲面反射面とすると、その最大曲面反射面を固定した状態で最大曲面反射面以外の反射面を微小に偏芯させることにより、スクリーン面上において上下方向、左右方向、斜め方向、又は上下左右方向に画素ピッチの範囲内での画素シフトを行うことを特徴とする。
【０００７】
第２の発明のプロジェクション光学系は、上記第１の発明において、前記微小に偏芯させる反射面を微小偏芯反射面とすると、その微小偏芯反射面が前記最大曲面反射面の縮小側に続けて配置されていることを特徴とする。
【０００８】
第３の発明のプロジェクション光学系は、上記第１又は第２の発明において、前記微小に偏芯させる反射面を微小偏芯反射面とし、表示素子面の画面中心から射出して絞りの中心を通る光線を基準光線とすると、前記微小偏芯反射面に対して前記基準光線が成す入射光線及び反射光線を含む平面と、前記最大曲面反射面に対して前記基準光線が成す入射光線及び反射光線を含む平面と、が直交することを特徴とする。
【０００９】
第４の発明のプロジェクション光学系は、上記第１の発明において、前記微小に偏芯させる反射面を微小偏芯反射面とすると、前記最大曲面反射面と前記微小偏芯反射面との間に曲面反射面が少なくとも１面配置されていることを特徴とする。
【００１０】
第５の発明のプロジェクション光学系は、上記第４の発明において、縮小側から順に絞りと前記微小偏芯反射面とが配置されていることを特徴とする。
【００１１】
第６の発明のプロジェクション光学系は、上記第４の発明において、縮小側から順に前記微小偏芯反射面と絞りとが配置されていることを特徴とする。
【００１２】
第７の発明のプロジェクション光学系は、上記第１〜第６のいずれか１つの発明において、前記曲面反射面を合計４面有することを特徴とする。
【発明の効果】
【００１３】
本発明によれば、最大曲面反射面を固定した状態で最大曲面反射面以外の反射面を微小に偏芯させることにより画素シフトを行う構成になっているため、低コストでコンパクトなプロジェクション光学系において、良好な光学性能を保持しながら高精度の画素ずらしを実現することができる。その結果、効果的な画素ずらしが可能となるため、スクリーン面上に投影する画素の輪郭を目立たなくして更になめらかな画像を表示することができ、解像度の向上による画像の高品位化をより安定的に達成することができる。したがって、本発明に係るプロジェクション光学系をリアプロジェクタ，フロントプロジェクタ等の画像投影装置に用いれば、その薄型・軽量・コンパクト化，低コスト化，高性能化，高機能化等に大きく寄与することができる。
【発明を実施するための最良の形態】
【００１４】
以下、本発明に係るプロジェクション光学系の実施の形態等を、図面を参照しつつ説明する。図１〜図５に、プロジェクション光学系の第１〜第５の実施の形態における表示素子面Ｓｏからスクリーン面Ｓｉまでの投影光路全体の光学構成(光学配置，投影光路等)を、表示素子面Ｓｏの画面長辺方向に沿って見たときの光学断面でそれぞれ示す。つまり、表示素子面Ｓｏの法線方向をx方向とし、表示素子面Ｓｏの画面短辺方向をy方向とし、表示素子面Ｓｏの画面長辺方向をz方向とする直交座標系(x,y,z)において、図１〜図５は各実施の形態における投影光路全体の光学構成を直交座標系(x,y,z)におけるxy断面で示している。なお、図１〜図５中、＊印が付された反射面は回転対称な非球面から成っており、＄印が付された反射面は回転非対称な非球面(いわゆる自由曲面)から成っている。
【００１５】
第１〜第５の実施の形態は、表示素子面Ｓｏの画像をスクリーン面Ｓｉ上に斜め拡大投影する、画像投影装置用の斜め投影光学系である。したがって、表示素子面Ｓｏは光強度の変調等により２次元画像を形成する表示素子の画像形成面に相当し、スクリーン面Ｓｉはその投影像面に相当する。表示素子面Ｓｏの近傍には表示素子のカバーガラスＣＧが位置しており、各実施の形態では表示素子としてデジタル・マイクロミラー・デバイス(digital micromirror device)を想定している。ただし、表示素子はこれに限らず、各実施の形態のプロジェクション光学系に適した他の非発光・反射型(又は透過型)の表示素子(例えば液晶表示素子)を用いても構わない。表示素子としてデジタル・マイクロミラー・デバイスを用いた場合、それに入射した光は、ＯＮ／ＯＦＦ状態(例えば±１２°の傾き状態)の各マイクロミラーで反射されることにより空間的に強度変調される。その際、ＯＮ状態のマイクロミラーで反射した光のみがプロジェクション光学系に入射してスクリーン面Ｓｉに投射される。なお、上記表示素子の代わりに自発光型表示素子を用いてもよい。映像表示素子として自発光型表示素子を用いれば、照明用の光源等が不要となるため、光学構成をより軽量で小型にすることができる。
【００１６】
各実施の形態の光学構成の上下配置は、図１〜図５に示されているものに限らず、上下反対でもよい。つまり、実際の装置配置や光学系配置等の都合に合わせて、図１〜図５における上側を下側としてもなんら問題はない。また、各実施の形態のプロジェクション光学系は、縮小側の表示素子面Ｓｏから拡大側のスクリーン面Ｓｉへの斜め方向の拡大投影を行う、背面投写型画像投影装置(リアプロジェクタ)に適した光学構成を有しているが、スクリーン面Ｓｉ側から表示素子面Ｓｏ側への斜め方向の縮小投影を行う斜め投影光学系として、画像読み取り装置に用いることも可能である。その場合、表示素子面Ｓｏは画像読み取り用の受光素子(例えばＣＣＤ：charge coupled device)の受光面に相当し、スクリーン面Ｓｉは読み取り画像面(例えば原稿面)に相当する。また、いずれの実施の形態も、拡大側のスクリーン面Ｓｉに到達する直前の反射面が平面反射面であるので、それを構成している第１平面ミラーＦ１又は第２平面ミラーＦ２(第２の実施の形態では第２平面ミラーＦ２、更には第１平面ミラーＦ１)を取り除き、その結果得られるスクリーン面Ｓｉの位置(つまり、平面反射面に対するスクリーン面Ｓｉのミラーイメージ位置)にスクリーンを配置すれば、前面投写型画像投影装置(フロントプロジェクタ)としての使用も可能である。そして、そのような形態における縮小光学系としても利用可能である。
【００１７】
第１〜第５の実施の形態には、反射型光学素子と透過型光学素子とが用いられている。反射型光学素子としては、曲面反射面を有する曲面ミラーと平面反射面を有する平面ミラーとが用いられているが、用いる反射型光学素子はミラー類に限らず、例えば曲面反射面や平面反射面を有するプリズム類を用いてもよい。また、複数の反射面を有する１つ又は複数の反射型光学素子を用いてもよく、反射面，屈折面，回折面，又はそれらを組み合わせて有する光学素子を用いてもよい。透過型光学素子としては、曲面屈折面を有する屈折レンズが用いられているが、用いる透過型光学素子は入射光線を屈折作用により偏向させる屈折型レンズ(つまり、異なる屈折率を有する媒質同士の界面で偏向が行われるタイプのレンズ)に限らない。例えば、回折作用により入射光線を偏向させる回折型レンズ，回折作用と屈折作用との組み合わせで入射光線を偏向させる屈折・回折ハイブリッド型レンズ，入射光線を媒質内の屈折率分布により偏向させる屈折率分布型レンズ等を用いてもよい。以下に、各実施の形態の光学構成を更に詳しく説明する。
【００１８】
第１の実施の形態(図１)は、反射曲面として、拡大側から順に、回転非対称自由曲面，回転非対称自由曲面，回転対称非球面，及び球面の４面を有する４曲面ミラータイプのプロジェクション光学系である。この第１の実施の形態では、表示素子面Ｓｏからスクリーン面Ｓｉへの投影光路に沿って順に、カバーガラスＣＧと、球面から成る曲面反射面Ｓ３を有する第１曲面ミラーＭ１と、縮小側面が絞りＳＴを構成する回転対称非球面から成り拡大側面が平面から成る略ノンパワーの回転対称非球面レンズＬ１と、回転対称非球面から成る曲面反射面Ｓ６を有する第２曲面ミラーＭ２と、回転非対称自由曲面から成る曲面反射面Ｓ７を有する第３曲面ミラーＭ３と、回転非対称自由曲面から成る曲面反射面Ｓ８を有する第４曲面ミラーＭ４と、光路折り返し用の平面反射面Ｓ９を有する第１平面ミラーＦ１と、が配置されている。
【００１９】
第２の実施の形態(図２)は、反射曲面として、拡大側から順に、回転非対称自由曲面，回転非対称自由曲面，回転対称非球面，及び球面の４面を有する４曲面ミラータイプのプロジェクション光学系である。この第２の実施の形態では、表示素子面Ｓｏからスクリーン面Ｓｉへの投影光路に沿って順に、カバーガラスＣＧと、球面から成る曲面反射面Ｓ３を有する第１曲面ミラーＭ１と、縮小側面Ｓ４が絞りＳＴを構成する回転非対称自由曲面から成り拡大側面Ｓ５が平面から成る略ノンパワーの回転非対称自由曲面レンズＬ１と、回転対称非球面から成る曲面反射面Ｓ６を有する第２曲面ミラーＭ２と、回転非対称自由曲面から成る曲面反射面Ｓ７を有する第３曲面ミラーＭ３と、回転非対称自由曲面から成る曲面反射面Ｓ８を有する第４曲面ミラーＭ４と、光路折り返し用の平面反射面Ｓ９を有する第１平面ミラーＦ１と、光路折り返し用の平面反射面Ｓ１０を有する平面ミラーＦ２と、が配置されている。
【００２０】
第３の実施の形態(図３)は、反射曲面として、拡大側から順に、回転非対称自由曲面，回転非対称自由曲面，回転対称非球面，及び球面の４面を有する４曲面ミラータイプのプロジェクション光学系である。この第３の実施の形態では、表示素子面Ｓｏからスクリーン面Ｓｉへの投影光路に沿って順に、カバーガラスＣＧと、球面から成る曲面反射面Ｓ３を有する第１曲面ミラーＭ１と、縮小側面Ｓ４が絞りＳＴを構成する回転非対称自由曲面から成り拡大側面Ｓ５が平面から成る略ノンパワーの回転非対称自由曲面レンズＬ１と、回転対称非球面から成る曲面反射面Ｓ６を有する第２曲面ミラーＭ２と、回転非対称自由曲面から成る曲面反射面Ｓ７を有する第３曲面ミラーＭ３と、回転非対称自由曲面から成る曲面反射面Ｓ８を有する第４曲面ミラーＭ４と、光路折り返し用の平面反射面Ｓ９を有する第１平面ミラーＦ１と、が配置されている。
【００２１】
第４の実施の形態(図４)は、反射曲面として１つの回転対称非球面のみ有する１曲面ミラータイプのプロジェクション光学系である。この第４の実施の形態では、表示素子面Ｓｏからスクリーン面Ｓｉへの投影光路に沿って順に、カバーガラスＣＧと、屈折光学系ＬＧと、光路折り返し用の平面反射面Ｓ３を有する第１平面ミラーＦ１と、回転対称非球面から成る曲面反射面Ｓ２を有する第１曲面ミラーＭ１と、光路折り返し用の平面反射面Ｓ１を有する第２平面ミラーＦ２と、が配置されている。図４では第１平面ミラーＦ１で光路展開された状態を示しているが、光路は第１平面ミラーＦ１で折り曲げられており、スクリーン面Ｓｉに対して表示素子面Ｓｏが垂直に位置している。第１平面ミラーＦ１での光路の折り曲げにより、プロジェクタ背面側への屈折光学系の突出が無くなるため、リアプロジェクタの薄型化が可能となる。図６に、屈折光学系ＬＧの光学構成を拡大して示す。屈折光学系ＬＧは、縮小側から順に、縮小側面が回転対称非球面から成る正レンズＬ１と、絞りＳＴと、２枚の接合レンズＬ２，Ｌ３と、２枚の正レンズＬ４，Ｌ５と、接合レンズＬ６と、負レンズＬ７と、正レンズＬ８と、で構成されている。
【００２２】
第５の実施の形態(図５)では、反射曲面として２つの回転対称非球面のみ有する２曲面ミラータイプのプロジェクション光学系である。この第５の実施の形態では、表示素子面Ｓｏからスクリーン面Ｓｉへの投影光路に沿って順に、カバーガラスＣＧと、屈折光学系ＬＧと、回転対称非球面から成る曲面反射面Ｓ１５を有する第１曲面ミラーＭ１と、回転対称非球面から成る曲面反射面Ｓ１６を有する第２曲面ミラーＭ２と、光路折り返し用の平面反射面Ｓ１７を有する第１平面ミラーＦ１と、が配置されている。屈折光学系ＬＧは、縮小側から順に、縮小側面が回転対称非球面から成り拡大側面が平面から成る略ノンパワーの回転対称非球面レンズＬ１と、絞りＳＴと、接合レンズＬ２と、正レンズＬ３と、負レンズＬ４と、縮小側面が回転非対称自由曲面から成る略ノンパワーの回転非対称自由曲面レンズＬ５と、で構成されている。
【００２３】
前述したように、画素ずらしを行うと画素同士が重なり合うため、スクリーン面上に投影する画素の輪郭が目立たなくなり、なめらかな画像を表示させることができる。しかも、表示素子の画素数はそのままでもスクリーン面上での表示情報量を増やすことができるため、解像度の向上(つまり見かけの画素数の増大)による画像の高品位化を達成する上で画素ずらしは非常に有効である。画素ずらしを行うには、スクリーン面上での投影像を微少量(例えば画素の１／２だけ)シフトさせる必要がある。しかし、画像投影のためのパワーを持たない光学部品をプロジェクション光学系に追加すると、部品点数の増大やバックフォーカスの増大等によって装置全体の大型化やコストアップを招いてしまう。また、屈折面を偏芯させる構成では色収差等の発生が問題になる。
【００２４】
そこで各実施の形態では、画像投影のための反射面で画素ずらしを行う構成を採用している。ただし、微小偏芯させるミラーが大きいと、メカ機構(ミラー保持機構，ミラー偏芯機構等)の大型化や複雑化を招いたり光学性能の低下を招いたりしてしまうので、微小偏芯させるミラーは小さいほど好ましく、少なくとも最大の曲面ミラー以外のミラーを微小偏芯させることが好ましい。したがって、プロジェクション光学系は複数の反射面を有し、そのうちの少なくとも１つがパワーを有する曲面反射面であり、前記曲面反射面のうち有効光学領域が最大の曲面反射面を最大曲面反射面とすると、その最大曲面反射面を固定した状態で最大曲面反射面以外の反射面を微小に偏芯させることにより、スクリーン面上において上下方向、左右方向、斜め方向(例えば画面対角線方向)、又は上下左右方向に画素ピッチの範囲内での画素シフトを行う構成とすることが望ましい。
【００２５】
最大曲面反射面の固定状態でそれ以外の反射面を微小偏芯させる構成とすることにより、反射面サイズが大きく重量が重い反射型光学素子を偏芯させる必要が無くなる。これにより、反射型光学素子の保持機構・偏芯機構等のメカ機構の小型化が可能となる。さらに、反射面の感度を考慮した場合、最大曲面反射面以外の反射面を微小偏芯させる構成とすることにより、微小偏芯による画素シフト量の精度を向上させることが可能となる。また、画素ずらしのために新たな光学部材を追加する必要が無いため、屈折光学系のパワーで画像投影を行う構成に比べて部品点数が少なくて済み、低コストなプロジェクション光学系とすることができる。したがって、低コストでコンパクトなプロジェクション光学系において、良好な光学性能を保持しながら高精度の画素ずらしを実現することができる。その結果、効果的な画素ずらしが可能となるため、スクリーン面上に投影する画素の輪郭を目立たなくして更になめらかな画像を表示することができ、解像度の向上による画像の高品位化をより安定的に達成することができる。そして、このプロジェクション光学系を画像投影装置(リアプロジェクタ，フロントプロジェクタ等)に用いれば、その薄型・軽量・コンパクト化，低コスト化，高性能化，高機能化等に大きく寄与することができる。
【００２６】
各実施の形態のように、空気と接している反射面(曲面反射面又は平面反射面)を微小偏芯させることが好ましい。つまり、空気と接している曲面反射面を有する曲面ミラー、又は空気と接している平面反射面を有する平面ミラーを微小偏芯させることが好ましい。反射面が空気と接していない反射型光学素子としては、プリズム内部で光を反射させる内部反射プリズムが挙げられる。そのプリズム内部で光を反射させる反射面を微小偏芯させるために内部反射プリズムを微小偏芯させると、内部反射プリズムが有する屈折面(例えば光入射側面や光射出側面)も微小偏芯してしまう。空気と接している屈折面の微小偏芯は色収差を発生させる原因となるが、空気と接している反射面を偏芯させることによっては色収差は発生しない。したがって、微小偏芯させる反射型光学素子として、空気と接している曲面反射面を有する曲面ミラー，空気と接している平面反射面を有する平面ミラー，空気と接している反射面(曲面反射面又は平面反射面)を有する表面反射プリズム(すなわち、光をプリズム内部に入射させずにプリズム表面を反射面として光を反射させるプリズム)等を用いることが好ましい。
【００２７】
前記画素ずらしのために微小に偏芯させる反射面を微小偏芯反射面とすると、その微小偏芯反射面が前記最大曲面反射面の縮小側に続けて配置されていることが望ましい。例えば第１〜第３の実施の形態では、第３曲面ミラーＭ３の曲面反射面Ｓ７を微小偏芯反射面とすることが好ましい。また、第４の実施の形態では第１平面ミラーＦ１の平面反射面Ｓ３を微小偏芯反射面とすることが好ましく、第５の実施の形態では第１曲面ミラーＭ１の曲面反射面Ｓ１５を微小偏芯反射面とすることが好ましい。もし、屈折光学系内に配置した反射面を微小偏芯させると、色収差が発生して性能が劣化してしまうが、最大曲面反射面と微小偏芯反射面との間に屈折光学系が無ければ、色収差はほとんど発生せず性能劣化はほとんど生じない。また、微小偏芯反射面とその上方・下方に配置されている反射面、あるいはスクリーンや背面ミラーとの干渉条件がゆるくなるので、メカ構成の配置の自由度を大きくすることができる。
【００２８】
平面反射面で光路を折り曲げることは、プロジェクション光学系全体のコンパクト化を図る上で有効である。第４の実施の形態(図４)では、プロジェクタ背面側への屈折光学系の突出を避けるため、スクリーン面Ｓｉに対して表示素子面Ｓｏが垂直になるように、微小偏芯させる第１平面ミラーＦ１で光路が折り曲げられている。この観点から、表示素子面の画面中心から射出して絞りの中心を通る光線を基準光線とすると、微小偏芯反射面に対して基準光線が成す入射光線及び反射光線を含む平面と、最大曲面反射面に対して基準光線が成す入射光線及び反射光線を含む平面と、が直交することが好ましい。このように微小偏芯反射面と最大曲面反射面を配置することにより、プロジェクション光学系を前後方向に薄くすることができる。また、微小偏芯反射面に対して基準光線が成す入射光線及び反射光線を含む平面と、最大曲面反射面に対して基準光線が成す入射光線及び反射光線を含む平面と、が直交する光学配置は、微小偏芯反射面を最大曲面反射面の縮小側に続けて配置した場合に更に効果的である。
【００２９】
また別の観点から、微小偏芯反射面に対して基準光線が成す入射光線及び反射光線を含む平面と、最大曲面反射面に対して基準光線が成す入射光線及び反射光線を含む平面と、が同一平面内にあることが好ましい。このように微小偏芯反射面と最大曲面反射面を配置することにより、共軸屈折光学系に比べてプロジェクション光学系の厚みを薄くすることができる。なお、第１〜第３，第５の実施の形態では、微小偏芯反射面と最大曲面反射面がこの配置になっている。
【００３０】
前記最大曲面反射面と前記微小偏芯反射面との間に曲面反射面が少なくとも１面配置されていることが好ましい。例えば第１〜第３の実施の形態の場合、第４曲面ミラーＭ４の曲面反射面Ｓ８が最大曲面反射面であるため、第１曲面ミラーＭ１の曲面反射面Ｓ３又は第２曲面ミラーＭ２の曲面反射面Ｓ６を微小偏芯反射面とすることが好ましい。このように最大曲面反射面と微小偏芯反射面との間に曲面反射面を配置した構成にすると、微小偏芯反射面が表示素子面側により近づいた配置となる。その結果、微小偏芯反射面の感度が高くなるため、全画面において精度良く画素シフトを行なうことが可能となる。また、最大曲面反射面と微小偏芯反射面との間に曲面反射面を配置する場合、微小偏芯反射面として曲面反射面を用いれば、上記効果をより一層向上させることができる。
【００３１】
最大曲面反射面と微小偏芯反射面との間に曲面反射面が少なくとも１面配置された構成では、縮小側から順に絞りと微小偏芯反射面とが配置されていることが好ましい。例えば第１〜第３の実施の形態の場合、絞りＳＴの拡大側に位置する第２曲面ミラーＭ２の曲面反射面Ｓ６を微小偏芯反射面とすることが好ましい。このような配置にすると、表示素子面のすぐ上方に微小偏芯させる反射面が位置することになる。その結果、表示素子面と微小偏芯反射面との干渉条件が厳しくなり、メカ構成の配置自由度が小さくなる。しかしながら、微小反射面のミラーサイズを最も小さくすることが可能となり、メカ構成を最も小型化することが可能となり、更に精度良く画素シフトを行なうことが可能となる。
【００３２】
最大曲面反射面と微小偏芯反射面との間に曲面反射面が少なくとも１面配置された構成では、縮小側から順に微小偏芯反射面と絞りとが配置されていることが好ましい。例えば第１〜第３の実施の形態の場合、絞りＳＴの縮小側に位置する第１曲面ミラーＭ１の曲面反射面Ｓ３を微小偏芯反射面とすることが好ましい。このような配置にすると、縮小側から順に絞り，微小偏芯反射面と配置した構成に比べて反射面サイズが大きくなり、メカ構成は若干大きくなる。しかしながら、微小偏芯反射面とそのすぐ上方に配置される反射面との干渉条件がゆるくなるので、メカ構成の配置自由度を大きくすることが可能となり、更に精度良く画素シフトを行なうことが可能となる。
【００３３】
第１〜第３の実施の形態のように、曲面反射面を少なくとも４面有することが好ましい。曲面反射面が少なくとも４面あれば、広画角なプロジェクション光学系において十分良好な光学性能を確保することができる。曲面反射面が３面以下であると、プロジェクション光学系として必要な光学性能を得ることが設計的にも製造的にも極めて困難になる。ただし、光学面は少ないほどコスト面で好ましく、光学面が多くなると筐体内における光学素子の配置も不利になる。したがって、曲面反射面を合計４面有することが更に好ましい。曲面反射面の数が４面であっても、広画角な斜め投影光学系として用いる場合に十分良好な光学性能を確保することができる。
【実施例】
【００３４】
以下、本発明を実施したプロジェクション光学系を、コンストラクションデータ等を挙げて更に具体的に説明する。ここで挙げる実施例１〜５は、前述した第１〜第５の実施の形態にそれぞれ対応する数値実施例であり、各実施の形態を表す光学構成図(図１〜図６)は、対応する実施例の光学配置，投影光路等をそれぞれ示している。各実施例のコンストラクションデータは、縮小側の表示素子面Ｓｏ(拡大投影における物面に相当する。)から拡大側のスクリーン面Ｓｉ(拡大投影における像面に相当する。)までを含めた系の光学配置を示しており、縮小側(実施例１〜３，５)又は拡大側(実施例４)から数えてｎ番目の面がＳｎ(ｎ＝１，２，３，．．．)である。なお、実施例１〜３，５の面Ｓ１，Ｓ２と実施例４の面Ｓ２７，Ｓ２８は、表示素子面Ｓｏを保護するために覆うカバーバラスＣＧの両面であり、プロジェクション光学系の一部を成すものではない。
【００３５】
各光学面の配置は、その面頂点をローカルな直交座標系(X,Y,Z)の原点(O)として、グローバルな直交座標系(x,y,z)におけるローカルな直交座標系(X,Y,Z)の原点(O)とX軸，Y軸の座標軸ベクトル(VX,VY)の座標データ(x,y,z)とで表されている(単位：ｍｍ)。ただし、座標系はすべて右手系で定義されており、グローバルな直交座標系(x,y,z)は表示素子面Ｓｏのローカルな直交座標系(X,Y,Z)と一致した絶対座標系になっている。したがって、グローバルな直交座標系(x,y,z)の原点(o)は表示素子面Ｓｏの中心に位置する原点(O)と同一の点であり、表示素子面ＳｏでのベクトルVXは表示素子面Ｓｏの面法線と平行であり、ベクトルVYはベクトルVXに直交するとともに表示素子面Ｓｏの画面短辺に平行である。また、座標データ(x,y,z)で表された光学面を先頭面として共軸系の一部を成す光学面については、直前の光学面を基準としたX方向の軸上面間隔T'(ｍｍ)で光学面の配置が表されている。ただし、実施例４では第１曲面ミラーＭ１と第１平面ミラーＦ１による光路折り曲げを省略して、第１曲面ミラーＭ１と第１平面ミラーＦ１で光路が展開された、第２平面ミラーＦ２を先頭面とする共軸系として示してある。
【００３６】
各光学要素の面形状は、その光学面の曲率C0(ｍｍ-1)，曲率半径r(ｍｍ)等で表されている。例えば、＊印が付された面Ｓｎは回転対称な非球面であり、その面形状は面頂点を原点(O)とするローカルな直交座標系(X,Y,Z)を用いた以下の式(AS)で定義される。また、＄印が付された面Ｓｎは回転非対称な非球面(いわゆる自由曲面)であり、その面形状は面頂点を原点(O)とするローカルな直交座標系(X,Y,Z)を用いた以下の式(BS)で定義される。回転対称非球面データ，回転非対称非球面データを他のデータとあわせて示す。ただし、表記の無い項の係数は０であり、すべてのデータに関してE-n＝×10-nである。
X＝(C0・H2)／{1+√(1-ε・C02・H2)}＋Σ{A(i)・Hi}  …(AS)
X＝(C0・H2)／{1+√(1-ε・C02・H2)}＋Σ{G(j,k)・Yj・Zk}  …(BS)
ただし、式(AS),(BS)中、
X：高さHの位置でのX方向の基準面からの変位量(面頂点基準)、
H：X軸に対して垂直な方向の高さ{H=√(Y2+Z2)}、
C0：面頂点での曲率(＋／−はローカルな直交座標系のX軸に対するものであり、正の場合その曲率中心がベクトルVX上の正方向に存在する。C0=1/r)、
ε：２次曲面パラメータ、
A(i)：i次の回転対称非球面係数、
G(j,k)：Yのj次、Zのk次の回転非対称非球面係数、
である。
【００３７】
各光学面の入射側に位置する媒質のｄ線に対する屈折率N，各光学面の射出側に位置する媒質のｄ線に対する屈折率N'(その光学面が反射面の場合には負の値となる。)及び光学材料のアッベ数νdを他のデータとあわせて示す。また、絞りＳＴ(又は絞りＳＴを構成する光学面)に関しては絞り有効半径Rを示す。
【００３８】
実施例１〜５の表示素子面Ｓｏの画面サイズ(ｍｍ)は、実施例１〜４においてLY＝±2.754，LZ＝±4.892であり、実施例５においてLY＝±4.925，LZ＝±8.7552である。ただし、表示素子面Ｓｏの画面形状は長方形であり、LYは表示素子面Ｓｏの画面短辺方向(すなわちY方向)の長さ、LZは表示素子面Ｓｏの画面長辺方向(すなわちZ方向)の長さである。また、各実施例の倍率(β)とＦナンバー(FnoY,FnoZ)を以下に示す。ただし、FnoYは縦方向(Y方向)のＦナンバー、FnoZは横方向(Z方向)のＦナンバーである。
実施例１：β=95.03，FnoY=2.82，FnoZ=2.92
実施例２：β=95.03，FnoY=2.71，FnoZ=2.91
実施例３：β=95.02，FnoY=2.91，FnoZ=2.79
実施例４：β=95.03，FnoY=2.20，FnoZ=2.20
実施例５：β=50.66，FnoY=3.50，FnoZ=3.50
【００３９】
表１〜表５に、ミラーを微小偏芯させたときに生じるスクリーン面Ｓｉ上での画素ずれ量(ｍｍ)を各実施例について示す。ただし、一度の画素ずらしにおいて微小偏芯させるミラー(すなわち微小偏芯ミラー)は１枚のみである。画素シフトは表示素子面Ｓｏの画面短辺方向(Y方向)に行われ、スクリーン面Ｓｉ上での半画素は、実施例１で0.7255mmに相当し(β=95.02倍)、実施例２で0.7255mmに相当し(β=95.02倍)、実施例３で0.7255mmに相当し(β=95.02倍)、実施例４で0.7255mmに相当し(β=95.02倍)、実施例５で0.6930mmに相当する(β=50.66倍)。表１〜表５中の画素ずれ量の表記は、スクリーン面Ｓｉ上での２５個の評価ポイントからピックアップされた１３個についてのものであり、その評価ポイントは後述するスポットダイアグラム(図７〜図２５)に対応している。
【００４０】
各ミラーについて微小偏芯の回転中心座標を以下に示す。なお、表１〜表５中、偏芯量ＲＹは左右あおりの角度(分)であり、偏芯量ＲＺは上下あおりの角度(分)である。
［実施例１］
第４曲面ミラーＭ４：(x,y,z) = (  -1.07349 , -103.883   , 0. )
第３曲面ミラーＭ３：(x,y,z) = (  87.5421  , -104.705   , 0. )
第２曲面ミラーＭ２：(x,y,z) = (  11.6601  ,  -36.5344  , 0. )
第１曲面ミラーＭ１：(x,y,z) = (  89.4021  ,   -9.25082 , 0. )
［実施例２］
第４曲面ミラーＭ４：(x,y,z) = ( -16.4149  ,  -75.2672  , 0. )
第３曲面ミラーＭ３：(x,y,z) = (  60.9715  ,  -71.0976  , 0. )
第２曲面ミラーＭ２：(x,y,z) = (  11.3215  ,  -26.3565  , 0. )
第１曲面ミラーＭ１：(x,y,z) = (  63.932   ,   -6.58458 , 0. )
［実施例３］
第４曲面ミラーＭ４：(x,y,z) = (-153.026   ,  -84.0553  , 0. )
第３曲面ミラーＭ３：(x,y,z) = (  39.4729  ,  -48.9831  , 0. )
第２曲面ミラーＭ２：(x,y,z) = (   8.12686 ,  -23.6118  , 0. )
第１曲面ミラーＭ１：(x,y,z) = (  58.9778  ,   -6.09164 , 0. )
［実施例４］
第１平面ミラーＦ１：(x,y,z) = ( -29.058   ,    0.      , 0. )
［実施例５］
第１曲面ミラーＭ１：(x,y,z) = ( 137.998328,   19.3049022,0. )
【００４１】
図７〜図２５に、各実施例のスポットダイアグラムを示す。図７〜図１１は実施例１のスクリーン面Ｓｉ上でのスポットダイアグラムを示している。図７ではミラー(反射面)を微小偏芯させる前の状態にあり、図８では第４曲面ミラーＭ４(最大曲面反射面)を微小偏芯させた状態にあり、図９では第３曲面ミラーＭ３を微小偏芯させた状態にあり、図１０では第２曲面ミラーＭ２を微小偏芯させた状態にあり、図１１では第１曲面ミラーＭ１を微小偏芯させた状態にある。図１２〜図１６は実施例２のスクリーン面Ｓｉ上でのスポットダイアグラムを示している。図１２ではミラー(反射面)を微小偏芯させる前の状態にあり、図１３では第４曲面ミラーＭ４(最大曲面反射面)を微小偏芯させた状態にあり、図１４では第３曲面ミラーＭ３を微小偏芯させた状態にあり、図１５では第２曲面ミラーＭ２を微小偏芯させた状態にあり、図１６では第１曲面ミラーＭ１を微小偏芯させた状態にある。図１７〜図２１は実施例３のスクリーン面Ｓｉ上でのスポットダイアグラムを示している。図１７ではミラー(反射面)を微小偏芯させる前の状態にあり、図１８では第４曲面ミラーＭ４(最大曲面反射面)を微小偏芯させた状態にあり、図１９では第３曲面ミラーＭ３を微小偏芯させた状態にあり、図２０では第２曲面ミラーＭ２を微小偏芯させた状態にあり、図２１では第１曲面ミラーＭ１を微小偏芯させた状態にある。図２２，図２３は実施例４のスクリーン面Ｓｉ上でのスポットダイアグラムを示している。図２２ではミラー(反射面)を微小偏芯させる前の状態にあり、図２３では第１平面ミラーＦ１を微小偏芯させた状態にある。図２４，図２５は実施例５のスクリーン面Ｓｉ上でのスポットダイアグラムを示している。図２４ではミラー(反射面)を微小偏芯させる前の状態にあり、図２５では第１曲面ミラーＭ１を微小偏芯させた状態にある。
【００４２】
各スポットダイアグラムは、スクリーン面Ｓｉでの結像特性(目盛りは±１ｍｍで表記されている。)を３波長(４６０ｎｍ，５４６ｎｍ，６２０ｎｍ)，２５個の評価ポイントについて示している。図中の座標(Y,Z)は、各評価ポイントのスポット重心の投影位置を示すスクリーン面Ｓｉのローカル座標(Y,Z；ｍｍ；e-n＝×10-n)である。いずれの実施例もXY平面に対して面対称な光学系から成っているため、スポットダイアグラムはスクリーン面Ｓｉ上でのZ方向のプラス側の半分のみを示しており、残り半分は図示省略してある。また、これらの評価ポイントは表示素子面ＳｏのZ方向の半分を縦横それぞれ均等に５分割した点と共役であり、表示素子面Ｓｏ上の点が持つローカル座標のYとZの値に倍率βをかけた値がスポットダイアグラム上での理想結像点であり、その計算値からのズレの分が歪曲である。なお、スポットダイアグラムの出発点は表示素子面Ｓｏの±Y，＋Z側にあるが、実施例１では天井の第１平面ミラーＦ１で画像が上下反転するためYが＋／−逆転しており、反射面の数が偶数の実施例２では背面の第１平面ミラーＦ１で画像が左右反転するためスクリーン面Ｓｉ上ではZの値が負になっている。
【００４３】
《実施例１のコンストラクションデータ》
Ｓｏ〈表示素子面〉
［座標］
O  :    0.00000 ,    0.00000 ,    0.00000
VX : 1.00000000 , 0.00000000 , 0.00000000
VY : 0.00000000 , 1.00000000 , 0.00000000
N = 1.00000
C0= 0.00000000(r=∞)
N'= 1.00000
T'= 0.47
【００４４】
Ｓ１〈カバーガラスＣＧの入射側面〉
N = 1.00000
C0= 0.00000000(r=∞)
N'= 1.51872,νd=64.20
T'= 3
【００４５】
Ｓ２〈カバーガラスＣＧの射出側面〉
N = 1.51872,νd=64.20
C0= 0.00000000(r=∞)
N'= 1.00000
【００４６】
Ｓ３〈第１曲面ミラーＭ１〉
［座標］
O  :   89.46300 ,  -32.99640 ,    0.00000
VX : 0.99362145 ,-0.11276709 , 0.00000000
VY : 0.11276709 , 0.99362145 , 0.00000000
N = 1.00000
C0=-0.00971266(r=-102.9584)
N'=-1.00000
【００４７】
Ｓ４＊〈レンズＬ１の入射側面〉
［座標］
O  :   36.96700 ,  -27.83360 ,    0.00000
VX :-0.99996402 , 0.00848272 , 0.00000000
VY : 0.00848272 , 0.99996402 , 0.00000000
N = 1.00000
C0= 0.00000000(r=∞),R=8.82(ＳＴ)
［非球面データ］
ε=1.00000
A( 4)= 1.28254E-6
A( 6)=-2.24341E-8
A( 8)= 5.83743E-10
A(10)=-6.64056E-12
A(12)= 2.6756E-14
N'= 1.52729,νd=56.38
【００４８】
Ｓ５〈レンズＬ１の射出側面〉
［座標］
O  :   34.96700 ,  -27.83360 ,    0.00000
VX :-0.99996402 , 0.00848272 , 0.00000000
VY : 0.00848272 , 0.99996402 , 0.00000000
N = 1.52729,νd=56.38
C0= 0.00000000(r=∞)
N'= 1.00000
【００４９】
Ｓ６＊〈第２曲面ミラーＭ２〉
［座標］
O  :   13.32900 ,  -23.75840 ,    0.00000
VX :-0.99755436 , 0.06989494 , 0.00000000
VY : 0.06989494 , 0.99755436 , 0.00000000
N = 1.00000
C0= 0.00885999(r=112.8669)
［非球面データ］
ε=3.5617
A( 4)= 1.10876E-6
A( 6)=-3.50858E-10
A( 8)= 2.37951E-12
A(10)=-9.55952E-16
A(12)=-5.3468E-19
N'=-1.00000
【００５０】
Ｓ７＄〈第３曲面ミラーＭ３〉
［座標］
O  :   87.92300 , -103.72600 ,    0.00000
VX : 0.93177279 ,-0.36304197 , 0.00000000
VY : 0.36304197 , 0.93177279 , 0.00000000
N = 1.00000
C0= 0.00000000(r=∞)
［非球面データ］
ε=1.00000
G( 2, 0)= 0.00042233
G( 3, 0)=-1.45538E-5
G( 4, 0)=-3.8612E-7
G( 5, 0)= 5.7352E-9
G( 6, 0)= 2.29675E-10
G( 7, 0)=-8.92223E-12
G( 8, 0)=-2.21444E-13
G( 9, 0)= 9.89721E-15
G(10, 0)= 2.449E-16
G( 0, 2)=-7.54687E-5
G( 1, 2)=-3.89476E-5
G( 2, 2)= 4.28778E-8
G( 3, 2)= 2.00852E-8
G( 4, 2)= 9.86227E-11
G( 5, 2)= 4.29665E-14
G( 6, 2)= 4.77323E-13
G( 7, 2)=-2.5096E-15
G( 8, 2)=-2.97959E-16
G( 0, 4)= 4.52954E-7
G( 1, 4)= 1.18742E-8
G( 2, 4)=-1.62558E-10
G( 3, 4)=-1.57615E-11
G( 4, 4)=-4.68176E-13
G( 5, 4)=-6.90848E-15
G( 6, 4)=-4.18622E-16
G( 0, 6)= 1.49726E-11
G( 1, 6)= 5.38503E-12
G( 2, 6)= 5.12064E-13
G( 3, 6)= 1.68718E-14
G( 4, 6)= 9.20023E-16
G( 0, 8)=-2.53574E-13
G( 1, 8)=-1.03087E-14
G( 2, 8)=-5.0665E-16
G( 0,10)= 2.13192E-16
N'=-1.00000
【００５１】
Ｓ８＄〈第４曲面ミラーＭ４〉
［座標］
O  :   23.86600 ,  -56.08940 ,    0.00000
VX :-0.99987601 ,-0.01574665 , 0.00000000
VY :-0.01574665 , 0.99987601 , 0.00000000
N = 1.00000
C0= 0.04297270(r=23.2706)
［非球面データ］
ε=-0.897295
G( 2, 0)=-0.00218985
G( 3, 0)=-1.26163E-5
G( 4, 0)=-4.56195E-7
G( 5, 0)=-5.97902E-9
G( 6, 0)=-1.99994E-11
G( 7, 0)= 1.80355E-13
G( 8, 0)= 1.85429E-15
G( 9, 0)= 7.95413E-18
G(10, 0)= 2.16144E-20
G( 0, 2)=-0.00658332
G( 1, 2)=-0.000122052
G( 2, 2)=-2.66385E-6
G( 3, 2)=-4.01263E-8
G( 4, 2)=-4.11471E-10
G( 5, 2)=-2.99993E-12
G( 6, 2)=-1.39283E-14
G( 7, 2)=-2.95315E-17
G( 8, 2)=-1.19023E-20
G( 0, 4)=-1.53887E-7
G( 1, 4)=-3.10955E-10
G( 2, 4)= 1.39109E-10
G( 3, 4)= 2.1765E-12
G( 4, 4)= 1.35934E-14
G( 5, 4)= 6.40525E-17
G( 6, 4)= 2.83967E-19
G( 0, 6)= 2.62161E-10
G( 1, 6)= 5.7036E-12
G( 2, 6)= 2.00802E-14
G( 3, 6)=-1.83097E-16
G( 4, 6)=-1.05122E-18
G( 0, 8)=-4.71494E-14
G( 1, 8)=-1.11943E-15
G( 2, 8)=-5.76737E-18
G( 0,10)=-8.64237E-19
N'=-1.00000
【００５２】
Ｓ９〈第１平面ミラーＦ１〉
［座標］
O  :  400.00000 , -503.02000 ,    0.00000
VX : 0.08626777 ,-0.99627199 , 0.00000000
VY : 0.99627199 , 0.08626777 , 0.00000000
N = 1.00000
C0= 0.00000000(r=∞)
N'=-1.00000
【００５３】
Ｓｉ〈スクリーン面〉
［座標］
O  :  201.49792 , -226.50567,    0.00000
VX : 0.96035280 , 0.27878754, 0.00000000
VY :-0.27878754 , 0.96035280, 0.00000000
【００５４】
《実施例２のコンストラクションデータ》
Ｓｏ〈表示素子面〉
［座標］
O  :    0.00000 ,    0.00000 ,    0.00000
VX : 1.00000000 , 0.00000000 , 0.00000000
VY : 0.00000000 , 1.00000000 , 0.00000000
N = 1.00000
C0= 0.00000000(r=∞)
N'= 1.00000
T'= 0.47
【００５５】
Ｓ１〈カバーガラスＣＧの入射側面〉
N = 1.00000
C0= 0.00000000(r=∞)
N'= 1.51872,νd=64.20
T'= 3
【００５６】
Ｓ２〈カバーガラスＣＧの射出側面〉
N = 1.51872,νd=64.20
C0= 0.00000000(r=∞)
N'= 1.00000
【００５７】
Ｓ３〈第１曲面ミラーＭ１〉
［座標］
O  :   63.93200 ,   -6.58459 ,    0.00000
VX : 0.99171573 , 0.12845198 , 0.00000000
VY :-0.12845198 , 0.99171573 , 0.00000000
N = 1.00000
C0=-0.01381290(r=-72.3961)
N'=-1.00000
【００５８】
Ｓ４＄〈レンズＬ１の入射側面〉
［座標］
O  :   26.97200 ,  -20.57770 ,    0.00000
VX :-0.98611760 ,-0.16604840 , 0.00000000
VY :-0.16604840 , 0.98611760 , 0.00000000
N = 1.00000
C0= 0.00000000(r=∞),R=6.2(ＳＴ)
［非球面データ］
ε=1.00000
G( 3, 0)=-1.04069E-5
G( 4, 0)= 5.4627E-6
G( 5, 0)=-1.56417E-7
G( 6, 0)= 1.78703E-9
G( 7, 0)= 2.15622E-9
G( 8, 0)=-1.53341E-10
G( 1, 2)= 4.53917E-6
G( 2, 2)= 8.83809E-6
G( 3, 2)=-2.1498E-7
G( 4, 2)=-5.79568E-9
G( 5, 2)=-1.81811E-10
G( 6, 2)=-1.17395E-9
G( 0, 4)= 2.97325E-6
G( 1, 4)=-1.57521E-7
G( 2, 4)= 6.57042E-9
G( 3, 4)=-4.77581E-8
G( 4, 4)=-3.83365E-9
G( 5, 4)= 1.70838E-9
G( 6, 4)= 2.45928E-10
G( 0, 6)=-9.69104E-9
G( 1, 6)=-3.18584E-10
G( 2, 6)=-1.81822E-10
G( 3, 6)= 1.39723E-9
G( 4, 6)=-9.77212E-11
G( 0, 8)= 1.11676E-10
N'= 1.52729,νd=56.38
【００５９】
Ｓ５〈レンズＬ１の射出側面〉
［座標］
O  :   24.94400 ,  -20.57770 ,    0.00000
VX :-0.98611760 ,-0.16604840 , 0.00000000
VY :-0.16604840 , 0.98611760 , 0.00000000
N = 1.52729,νd=56.38
C0= 0.00000000(r=∞)
N'= 1.00000
【００６０】
Ｓ６＊〈第２曲面ミラーＭ２〉
［座標］
O  :   12.42200 ,  -17.01710 ,    0.00000
VX :-0.99853028 , 0.05419663 , 0.00000000
VY : 0.05419663 , 0.99853028 , 0.00000000
N = 1.00000
C0= 0.01290230(r=77.5056)
［非球面データ］
ε=2.73078
A( 4)= 2.04292E-6
A( 6)= 2.6091E-9
A( 8)= 2.04236E-11
A(10)=-4.84781E-14
A(12)= 6.89965E-17
N'=-1.00000
【００６１】
Ｓ７＄〈第３曲面ミラーＭ３〉
［座標］
O  :   60.97000 ,  -71.10180 ,    0.00000
VX : 0.94282012 ,-0.33330200 , 0.00000000
VY : 0.33330200 , 0.94282012 , 0.00000000
N = 1.00000
C0= 0.00000000(r=∞)
［非球面データ］
ε=1.00000
G( 2, 0)= 0.000227827
G( 3, 0)=-1.59697E-5
G( 4, 0)=-7.43793E-7
G( 5, 0)= 3.26468E-9
G( 6, 0)= 5.44779E-10
G( 7, 0)= 8.61583E-12
G( 8, 0)=-2.1623E-13
G( 9, 0)=-7.26408E-15
G(10, 0)= 2.75758E-18
G( 0, 2)=-0.000273115
G( 1, 2)=-5.79289E-5
G( 2, 2)=-9.22533E-8
G( 3, 2)= 5.32026E-8
G( 4, 2)= 1.49402E-9
G( 5, 2)= 1.26508E-12
G( 6, 2)=-7.39215E-13
G( 7, 2)=-2.705E-14
G( 8, 2)=-3.86941E-16
G( 0, 4)= 9.21798E-7
G( 1, 4)= 3.32615E-8
G( 2, 4)=-1.02972E-10
G( 3, 4)=-3.92896E-11
G( 4, 4)=-1.46089E-12
G( 5, 4)=-2.1023E-15
G( 6, 4)=-1.43031E-16
G( 0, 6)=-1.07535E-10
G( 1, 6)= 5.03513E-12
G( 2, 6)= 6.33597E-13
G( 3, 6)= 1.71413E-14
G( 4, 6)= 1.57028E-15
G( 0, 8)=-7.15605E-14
G( 1, 8)=-2.11158E-14
G( 2, 8)=-1.00499E-15
G( 0,10)= 1.18681E-16
N'=-1.00000
【００６２】
Ｓ８＄〈第４曲面ミラーＭ４〉
［座標］
O  :   -1.10600 ,  -40.21540 ,    0.00000
VX :-0.99539428 , 0.09586563 , 0.00000000
VY : 0.09586563 , 0.99539428 , 0.00000000
N = 1.00000
C0= 0.03222160(r=31.0351)
［非球面データ］
ε=-2.77033
G( 2, 0)=-0.00116411
G( 3, 0)=-7.29086E-6
G( 4, 0)=-2.80926E-7
G( 5, 0)=-4.21417E-9
G( 6, 0)=-2.32031E-11
G( 7, 0)= 1.05632E-13
G( 8, 0)= 2.21671E-15
G( 9, 0)= 1.03511E-17
G(10, 0)= 1.03581E-20
G( 0, 2)=-0.000717564
G( 1, 2)=-3.36047E-5
G( 2, 2)=-1.87358E-6
G( 3, 2)=-3.73724E-8
G( 4, 2)=-4.19151E-10
G( 5, 2)=-3.00373E-12
G( 6, 2)=-1.35286E-14
G( 7, 2)=-2.81857E-17
G( 8, 2)= 8.89147E-21
G( 0, 4)=-3.94585E-7
G( 1, 4)=-4.49598E-9
G( 2, 4)= 1.56948E-10
G( 3, 4)= 3.00606E-12
G( 4, 4)= 1.61973E-14
G( 5, 4)= 2.15876E-17
G( 6, 4)= 1.78649E-20
G( 0, 6)= 1.10862E-10
G( 1, 6)= 3.472E-12
G( 2, 6)= 1.91076E-14
G( 3, 6)=-1.39812E-16
G( 4, 6)=-9.9647E-19
G( 0, 8)=-5.62039E-15
G( 1, 8)=-2.36124E-16
G( 2, 8)=-1.97717E-18
G( 0,10)= 1.71896E-19
N'=-1.00000
【００６３】
Ｓ９〈第１平面ミラーＦ１〉
［座標］
O  :   35.97800 , -177.05200 ,    0.00000
VX : 0.98397714 ,-0.17829469 , 0.00000000
VY : 0.17829469 , 0.98397714 , 0.00000000
N = 1.00000
C0= 0.00000000(r=∞)
N'=-1.00000
【００６４】
Ｓ１０〈第２平面ミラーＦ２〉
［座標］
O  : -187.25900 , -503.11200 ,    0.00000
VX :-0.94408245 , 0.32970947 , 0.00000000
VY : 0.32970947 , 0.94408245 , 0.00000000
N = 1.00000
C0= 0.00000000(r=∞)
N'=-1.00000
【００６５】
Ｓｉ〈スクリーン面〉
［座標］
O  :  -83.63894 , -570.35585 ,    0.00000
VX : 0.94408245 ,-0.32970947 , 0.00000000
VY :-0.32970947 ,-0.94408245 , 0.00000000
【００６６】
《実施例３のコンストラクションデータ》
Ｓｏ〈表示素子面〉
［座標］
O  :    0.00000 ,    0.00000 ,    0.00000
VX : 1.00000000 , 0.00000000 , 0.00000000
VY : 0.00000000 , 1.00000000 , 0.00000000
N = 1.00000
C0= 0.00000000(r=∞)
N'= 1.00000
T'= 0.47
【００６７】
Ｓ１〈カバーガラスＣＧの入射側面〉
N = 1.00000
C0= 0.00000000(r=∞)
N'= 1.51045,νd=61.19
T'= 3
【００６８】
Ｓ２〈カバーガラスＣＧの射出側面〉
N = 1.51045,νd=61.19
C0= 0.00000000(r=∞)
N'= 1.00000
【００６９】
Ｓ３〈第１曲面ミラーＭ１〉
［座標］
O  :   59.44400 ,  -14.38300 ,    0.00000
VX : 1.00000000 , 0.00000000 , 0.00000000
VY : 0.00000000 , 1.00000000 , 0.00000000
N = 1.00000
C0=-0.01351930(r=-73.9683)
N'=-1.00000
【００７０】
Ｓ４＄〈レンズＬ１の入射側面〉
［座標］
O  :   23.88600 ,  -18.08720 ,    0.00000
VX :-0.77138615 ,-0.63636735 , 0.00000000
VY :-0.63636735 , 0.77138615 , 0.00000000
N = 1.00000
C0= 0.00000000(r=∞),R=6.95(ＳＴ)
［非球面データ］
ε=1.00000
G( 1, 0)=-0.00711872
G( 2, 0)=-0.00024658
G( 3, 0)=-1.93678E-5
G( 4, 0)= 3.64022E-6
G( 5, 0)= 1.30218E-6
G( 6, 0)=-4.3095E-8
G( 7, 0)=-2.73884E-8
G( 8, 0)= 6.72443E-10
G( 9, 0)= 2.19506E-10
G(10, 0)=-1.87929E-12
G( 0, 2)= 0.00096106
G( 1, 2)= 5.90368E-5
G( 2, 2)= 5.82908E-6
G( 3, 2)= 3.26898E-7
G( 4, 2)= 2.71282E-9
G( 5, 2)=-4.88765E-9
G( 6, 2)= 4.3078E-10
G( 7, 2)=-2.06835E-11
G( 8, 2)=-1.57359E-11
G( 0, 4)= 9.94749E-7
G( 1, 4)= 1.42893E-7
G( 2, 4)= 2.81152E-8
G( 3, 4)=-2.219E-8
G( 4, 4)=-1.90164E-9
G( 5, 4)= 4.12415E-10
G( 6, 4)=-2.55946E-12
G( 0, 6)=-3.26064E-9
G( 1, 6)=-8.03379E-9
G( 2, 6)=-3.44583E-10
G( 3, 6)= 4.72961E-10
G( 4, 6)= 5.53316E-12
G( 0, 8)= 9.75636E-11
G( 1, 8)= 9.46503E-11
G( 2, 8)=-5.65792E-12
G( 0,10)=-6.37224E-13
N'= 1.52729,νd=56.38
【００７１】
Ｓ５〈レンズＬ１の射出側面〉
［座標］
O  :   21.92400 ,  -18.08740 ,    0.00000
VX :-0.77138615 ,-0.63636735 , 0.00000000
VY :-0.63636735 , 0.77138615 , 0.00000000
N = 1.52729,νd=56.38
C0= 0.00000000(r=∞)
N'= 1.00000
【００７２】
Ｓ６＊〈第２曲面ミラーＭ２〉
［座標］
O  :    9.44500 ,  -12.40560 ,    0.00000
VX :-0.99824279 , 0.05925649 , 0.00000000
VY : 0.05925649 , 0.99824279 , 0.00000000
N = 1.00000
C0= 0.01004760(r=99.5263)
［非球面データ］
ε=-16.6018
A( 4)= 2.86157E-6
A( 6)=-1.82955E-9
A( 8)= 1.43092E-11
A(10)=-3.59947E-14
A(12)= 3.45086E-17
N'=-1.00000
【００７３】
Ｓ７＄〈第３曲面ミラーＭ３〉
［座標］
O  :   39.46100 ,  -49.02960 ,    0.00000
VX : 0.96884897 ,-0.24765233 , 0.00000000
VY : 0.24765233 , 0.96884897 , 0.00000000
N = 1.00000
C0= 0.00000000(r=∞)
［非球面データ］
ε=1.00000
G( 2, 0)=-0.0015014
G( 3, 0)= 1.6878E-6
G( 4, 0)= 2.76396E-8
G( 5, 0)= 2.80683E-9
G( 6, 0)=-1.55228E-10
G( 7, 0)=-1.675E-11
G( 8, 0)=-8.14499E-14
G( 9, 0)= 8.61671E-14
G(10, 0)= 3.62876E-15
G( 0, 2)=-0.0005976
G( 1, 2)=-4.38879E-6
G( 2, 2)= 4.17753E-7
G( 3, 2)= 2.22518E-8
G( 4, 2)=-7.42109E-10
G( 5, 2)=-1.95053E-11
G( 6, 2)= 5.70414E-12
G( 7, 2)= 3.542E-14
G( 8, 2)=-7.43299E-15
G( 0, 4)= 4.92962E-7
G( 1, 4)= 2.13437E-8
G( 2, 4)=-2.30497E-10
G( 3, 4)=-8.63374E-11
G( 4, 4)= 4.63483E-12
G( 5, 4)= 4.81801E-14
G( 6, 4)=-1.67042E-14
G( 0, 6)=-4.33782E-10
G( 1, 6)=-4.23437E-11
G( 2, 6)= 1.40786E-12
G( 3, 6)= 2.12264E-13
G( 4, 6)=-3.29603E-15
G( 0, 8)= 1.9199E-12
G( 1, 8)= 4.0393E-14
G( 2, 8)=-2.2978E-15
G( 0,10)=-2.91598E-15
N'=-1.00000
【００７４】
Ｓ８＄〈第４曲面ミラーＭ４〉
［座標］
O  : -185.66300 ,   24.87620 ,    0.00000
VX :-0.97385658 ,-0.22716373 , 0.00000000
VY :-0.22716373 , 0.97385658 , 0.00000000
N = 1.00000
C0= 0.00557196(r=179.4701)
［非球面データ］
ε=1.00692
G( 2, 0)=-0.0113006
G( 3, 0)=-8.11037E-5
G( 4, 0)=-2.05436E-7
G( 5, 0)=-4.46619E-9
G( 6, 0)=-3.22006E-11
G( 7, 0)= 2.00679E-13
G( 8, 0)= 2.26432E-15
G( 9, 0)= 4.45546E-18
G(10, 0)=-4.12552E-21
G( 0, 2)=-0.00664662
G( 1, 2)=-0.000217413
G( 2, 2)=-2.26881E-6
G( 3, 2)=-3.41546E-8
G( 4, 2)=-4.65775E-10
G( 5, 2)=-2.92576E-12
G( 6, 2)=-1.12438E-14
G( 7, 2)=-5.0852E-17
G( 8, 2)=-1.47226E-19
G( 0, 4)= 9.35887E-7
G( 1, 4)= 4.69715E-8
G( 2, 4)= 3.05214E-10
G( 3, 4)=-1.51625E-14
G( 4, 4)= 1.26809E-14
G( 5, 4)= 1.59893E-16
G( 6, 4)= 4.03446E-19
G( 0, 6)= 3.47782E-10
G( 1, 6)= 2.36674E-12
G( 2, 6)= 9.87926E-15
G( 3, 6)= 1.76962E-16
G( 4, 6)= 8.47476E-19
G( 0, 8)=-7.68412E-14
G( 1, 8)=-8.43681E-16
G( 2, 8)=-2.95386E-18
G( 0,10)= 2.06544E-18
N'=-1.00000
【００７５】
Ｓ９〈第１平面ミラーＦ１〉
［座標］
O  :   68.44900 ,    0.00000 ,    0.00000
VX : 0.99560666 , 0.09363432 , 0.00000000
VY :-0.09363432 , 0.99560666 , 0.00000000
N = 1.00000
C0= 0.00000000(r=∞)
N'=-1.00000
【００７６】
Ｓｉ〈スクリーン面〉
［座標］
O  : -154.83987 , -418.49080 ,    0.00000
VX :-0.99803704 ,-0.06262642 , 0.00000000
VY : 0.06262642 ,-0.99803704 , 0.00000000
【００７７】
《実施例４のコンストラクションデータ》
Ｓｉ〈スクリーン面〉
［座標］
O  : -232.137457  ,0.00000 , 0.00000
VX : 1.00000000 , 0.00000000 , 0.00000000
VY : 0.00000000 , 1.00000000 , 0.00000000
【００７８】
Ｓ１〈第２平面ミラーＦ２〉
［座標］
O  :    0.00000 ,    0.00000 ,    0.00000
VX : 1.00000000 , 0.00000000 , 0.00000000
VY : 0.00000000 , 1.00000000 , 0.00000000
N = 1.00000
C0= 0.00000000(r=∞)
N'=-1.00000
T'=-200
【００７９】
Ｓ２＊〈第１曲面ミラーＭ１〉
N =-1.00000
C0=-0.00999840(r=-100.0160)
［非球面データ］
ε=-4.81601549
A( 4)=-1.74739582E-8
A( 6)= 5.24990307E-12
A( 8)=-5.59989013E-16
A(10)= 2.04603165E-20
N'= 1.00000
T'= 170.942
【００８０】
Ｓ３〈第１平面ミラーＦ１〉
N = 1.00000
C0= 0.00000000(r=∞)
N'= 1.00000
T'= 29.1366
【００８１】
Ｓ４〈屈折光学系ＬＧのレンズＬ８の射出側面〉
N = 1.00000
C0= 0.03722168(r=26.8661)
N'= 1.51872,νd=64.20
T'= 10.7262
【００８２】
Ｓ５〈屈折光学系ＬＧのレンズＬ８の入射側面〉
N = 1.51872,νd=64.20
C0= 0.00180074(r=555.3278)
N'= 1.00000
T'= 0.3
【００８３】
Ｓ６〈屈折光学系ＬＧのレンズＬ７の射出側面〉
N = 1.00000
C0= 0.03122531(r=32.0253)
N'= 1.76167,νd=27.53
T'= 1.79377
【００８４】
Ｓ７〈屈折光学系ＬＧのレンズＬ７の入射側面〉
N = 1.76167,νd=27.53
C0= 0.06679096(r=14.9721)
N'= 1.00000
T'= 11.9551
【００８５】
Ｓ８〈屈折光学系ＬＧのレンズＬ６の射出側面〉
N = 1.00000
C0=-0.04207365(r=-23.7678)
N'= 1.76167,νd=27.53
T'= 1.2
【００８６】
Ｓ９〈屈折光学系ＬＧのレンズＬ６の接合面〉
N = 1.76167,νd=27.53
C0= 0.06633367(r=15.0753)
N'= 1.55278,νd=47.00
T'= 0.01
【００８７】
Ｓ１０〈屈折光学系ＬＧのレンズＬ６の接合面〉
N = 1.55278,νd=47.00
C0= 0.06633367(r=15.0753)
N'= 1.72341,νd=50.34
T'= 5.69337
【００８８】
Ｓ１１〈屈折光学系ＬＧのレンズＬ６の入射側面〉
N = 1.72341,νd=50.34
C0= 0.02557156(r=39.1059)
N'= 1.00000
T'= 16.01022
【００８９】
Ｓ１２〈屈折光学系ＬＧのレンズＬ５の射出側面〉
N = 1.00000
C0=-0.00087955(r=-1136.9402)
N'= 1.76167,νd=27.53
T'= 8.02254
【００９０】
Ｓ１３〈屈折光学系ＬＧのレンズＬ５の入射側面〉
N = 1.76167,νd=27.53
C0=-0.02626830(r=-38.0687)
N'= 1.00000
T'= 0.3
【００９１】
Ｓ１４〈屈折光学系ＬＧのレンズＬ４の射出側面〉
N = 1.00000
C0= 0.03188959(r=31.3582)
N'= 1.67764,νd=32.17
T'= 8.88038
【００９２】
Ｓ１５〈屈折光学系ＬＧのレンズＬ４の入射側面〉
N = 1.67764,νd=32.17
C0= 0.00261648(r=382.1932)
N'= 1.00000
T'= 20.25139
【００９３】
Ｓ１６〈屈折光学系ＬＧのレンズＬ３の射出側面〉
N = 1.00000
C0=-0.02401764(r=-41.6361)
N'= 1.76167,νd=27.53
T'= 1.20604
【００９４】
Ｓ１７〈屈折光学系ＬＧのレンズＬ３の接合面〉
N = 1.76167,νd=27.53
C0= 0.06272194(r=15.9434)
N'= 1.55278,νd=47.00
T'= 0.01
【００９５】
Ｓ１８〈屈折光学系ＬＧのレンズＬ３の接合面〉
N = 1.55278,νd=47.00
C0= 0.06272194(r=15.9434)
N'= 1.68081,νd=55.52
T'= 5.7965
【００９６】
Ｓ１９〈屈折光学系ＬＧのレンズＬ３の入射側面〉
N = 1.68081,νd=55.52
C0=-0.01181674(r=-84.6257)
N'= 1.00000
T'= 0.30
【００９７】
Ｓ２０〈屈折光学系ＬＧのレンズＬ２の射出側面〉
N = 1.00000
C0= 0.01323680(r=75.5470)
N'= 1.68081,νd=55.52
T'= 5.36152
【００９８】
Ｓ２１〈屈折光学系ＬＧのレンズＬ２の接合面〉
N = 1.68081,νd=55.52
C0=-0.05746218(r=-17.4028)
N'= 1.55278,νd=47.00
T'= 0.01
【００９９】
Ｓ２２〈屈折光学系ＬＧのレンズＬ２の接合面〉
N = 1.55278,νd=47.00
C0=-0.05746218(r=-17.4028)
N'= 1.76167,νd=27.53
T'= 1.48006
【０１００】
Ｓ２３〈屈折光学系ＬＧのレンズＬ２の入射側面〉
N = 1.76167,νd=27.53
C0= 0.00183296(r=545.5664)
N'= 1.00000
T'= 1.23735
【０１０１】
Ｓ２４〈絞りＳＴ〉
N = 1.00000
C0= 0.00000000(r=∞),R=8.40578
N'= 1.00000
T'= 2.5
【０１０２】
Ｓ２５〈屈折光学系ＬＧのレンズＬ１の射出側面〉
N = 1.00000
C0= 0.00000000(r=∞)
N'= 1.81080,νd=40.73
T'= 3
【０１０３】
Ｓ２６＊〈屈折光学系ＬＧのレンズＬ１の入射側面〉
N = 1.81080,νd=40.73
C0=-0.02359235(r=-42.3866)
［非球面データ］
ε=1.00000
A( 4)= 9.09254038E-6
A( 6)= 2.64983712E-9
A( 8)=-1.04398901E-10
A(10)= 4.56455473E-13
N'= 1.00000
T'= 31.5274
【０１０４】
Ｓ２７〈カバーガラスＣＧの射出側面〉
N = 1.00000
C0= 0.00000000(r=∞)
N'= 1.51045,νd=61.19
T'= 3
【０１０５】
Ｓ２８〈カバーガラスＣＧの入射側面〉
N = 1.51045,νd=61.19
C0= 0.00000000(r=∞)
N'= 1.00000
T'= 0.5
【０１０６】
Ｓｏ〈表示素子面〉
N = 1.00000
C0= 0.00000000(r=∞)
N'= 1.00000
【０１０７】
《実施例５のコンストラクションデータ》
Ｓｏ〈表示素子面〉
［座標］
O  :    0.00000 ,    0.00000 ,    0.00000
VX : 1.00000000 , 0.00000000 , 0.00000000
VY : 0.00000000 , 1.00000000 , 0.00000000
N = 1.00000
C0= 0.00000000(r=∞)
N'= 1.00000
T'= 0.5
【０１０８】
Ｓ１〈カバーガラスＣＧの入射側面〉
N = 1.00000
C0= 0.00000000(r=∞)
N'= 1.51045,νd=61.19
T'= 3
【０１０９】
Ｓ２〈カバーガラスＣＧの射出側面〉
N = 1.51045,νd=61.19
C0= 0.00000000(r=∞)
N'= 1.00000
【０１１０】
Ｓ３＊〈屈折光学系ＬＧのレンズＬ１の入射側面〉
［座標］
O  :   34.00000 ,    0.16725 ,    0.00000
VX : 0.99904194 , 0.04376303 , 0.00000000
VY :-0.04376303 , 0.99904194 , 0.00000000
N = 1.00000
C0= 0.00204274(r=489.5382)
［非球面データ］
ε=1.00000
A( 4)=-5.00465690E-5
A( 6)=-7.39670669E-8
A( 8)=-1.75197444E-9
A(10)= 4.12175570E-11
N'= 1.69977,νd=55.84
T'= 1.84179
【０１１１】
Ｓ４〈屈折光学系ＬＧのレンズＬ１の射出側面〉
N = 1.69977,νd=55.84
C0= 0.00000000(r=∞)
N'= 1.00000
T'= 0.0001
【０１１２】
Ｓ５〈絞りＳＴ〉
N = 1.00000
C0= 0.00000000(r=∞),R=5.2800
N'= 1.00000
T'= 2.39002
【０１１３】
Ｓ６〈屈折光学系ＬＧのレンズＬ２の入射側面〉
N = 1.00000
C0=-0.02649622(r=-37.7412)
N'= 1.72970,νd=28.85
T'= 1.81923
【０１１４】
Ｓ７〈屈折光学系ＬＧのレンズＬ２の接合面〉
N = 1.72970,νd=28.85
C0= 0.05211926(r=19.1868)
N'= 1.63067,νd=58.95
T'= 4.85078
【０１１５】
Ｓ８〈屈折光学系ＬＧのレンズＬ２の射出側面〉
N = 1.63067,νd=58.95
C0=-0.04804299(r=-20.8147)
N'= 1.00000
T'= 12.1771
【０１１６】
Ｓ９〈屈折光学系ＬＧのレンズＬ３の入射側面〉
N = 1.00000
C0=-0.01100077(r=-90.9027)
N'= 1.75648,νd=42.47
T'= 5.42944
【０１１７】
Ｓ１０〈屈折光学系ＬＧのレンズＬ３の射出側面〉
N = 1.75648,νd=42.47
C0=-0.04368526(r=-22.8910)
N'= 1.00000
T'= 31.7315
【０１１８】
Ｓ１１〈屈折光学系ＬＧのレンズＬ４の入射側面〉
N = 1.00000
C0=-0.05243928(r=-19.0697)
N'= 1.57422,νd=42.87
T'= 2
【０１１９】
Ｓ１２〈屈折光学系ＬＧのレンズＬ４の射出側面〉
N = 1.57422,νd=42.87
C0=-0.00497167(r=-201.1396)
N'= 1.00000
T'= 11.0652
【０１２０】
Ｓ１３＄〈屈折光学系ＬＧのレンズＬ５の入射側面〉
N = 1.00000
C0=-0.02572471(r=-38.8731)
［非球面データ］
ε=1.00000
G( 2, 0)=-0.00235851082
G( 3, 0)= 0.000127099536
G( 4, 0)=-2.72876648E-6
G( 5, 0)= 2.05042105E-7
G( 6, 0)=-1.41376330E-9
G( 7, 0)=-7.38327248E-10
G( 8, 0)=-2.69549205E-11
G( 9, 0)= 3.96158591E-12
G(10, 0)=-7.28373869E-14
G( 0, 2)=-0.00179790062
G( 1, 2)= 0.000119508476
G( 2, 2)=-3.37474254E-6
G( 3, 2)=-2.33213951E-7
G( 4, 2)= 8.31897086E-8
G( 5, 2)=-5.87625715E-9
G( 6, 2)=-1.55694736E-10
G( 7, 2)= 2.66789771E-11
G( 8, 2)=-5.98373894E-13
G( 0, 4)= 9.81716933E-7
G( 1, 4)=-3.84549661E-7
G( 2, 4)= 4.76438571E-8
G( 3, 4)=-7.99335107E-10
G( 4, 4)=-3.51742107E-10
G( 5, 4)= 3.20064736E-11
G( 6, 4)=-7.51776616E-13
G( 0, 6)= 8.76254855E-10
G( 1, 6)= 1.27340621E-9
G( 2, 6)=-1.50766224E-10
G( 3, 6)= 4.61476332E-12
G( 4, 6)= 2.10022093E-14
G( 0, 8)=-8.16994844E-12
G( 1, 8)=-1.89706212E-12
G( 2, 8)= 2.00988044E-13
G( 0,10)= 2.68020824E-14
N'= 1.49329,νd=57.82
T'= 3.09674
【０１２１】
Ｓ１４〈屈折光学系ＬＧのレンズＬ５の射出側面〉
N = 1.49329,νd=57.82
C0=-0.02572471(r=-38.8731)
N'= 1.00000
【０１２２】
Ｓ１５＊〈第１曲面ミラーＭ１〉
［座標］
O  :  131.03087 ,   -2.34225 ,    0.00000
VX : 0.93890734 ,-0.34417002 , 0.00000000
VY : 0.34417002 , 0.93890734 , 0.00000000
N = 1.00000
C0=-0.00417675(r=-239.4208)
［非球面データ］
ε=1.00000
A( 4)= 7.63255675E-7
A( 6)=-2.52707075E-10
A( 8)= 5.17586168E-14
A(10)=-4.53900214E-18
N'=-1.00000
【０１２３】
Ｓ１６＊〈第２曲面ミラーＭ２〉
［座標］
O  :   53.01223 ,   65.80982 ,    0.00000
VX :-0.79957051 , 0.60057223 , 0.00000000
VY : 0.60057223 , 0.79957051 , 0.00000000
N = 1.00000
C0= 0.01952516(r=51.2160)
［非球面データ］
ε=-3.82885253
A( 4)=-6.52773208E-8
A( 6)= 6.18183888E-12
A( 8)=-3.45459065E-16
A(10)= 8.19156848E-21
N'=-1.00000
【０１２４】
Ｓ１７〈第１平面ミラーＦ１〉
［座標］
O  :  138.84308 ,   -5.79166 ,    0.00000
VX : 0.82833853 ,-0.56022788 , 0.00000000
VY : 0.56022788 , 0.82833853 , 0.00000000
N = 1.00000
C0= 0.00000000(r=∞)
N'=-1.00000
【０１２５】
Ｓｉ〈スクリーン面〉
［座標］
O  :  216.48195 ,  376.73268 ,    0.00000
VX :-0.82833853 , 0.56022788 , 0.00000000
VY :-0.56022788 ,-0.82833853 , 0.00000000
【０１２６】
【表１】
2006154041.tif 000003
【０１２７】
【表２】
2006154041.tif 000004
【０１２８】
【表３】
2006154041.tif 000005
【０１２９】
【表４】
2006154041.tif 000006
【０１３０】
【表５】
2006154041.tif 000007
【図面の簡単な説明】
【０１３１】
【図１】第１の実施の形態(実施例１)の光学構成を示す光路図。
【図２】第２の実施の形態(実施例２)の光学構成を示す光路図。
【図３】第３の実施の形態(実施例３)の光学構成を示す光路図。
【図４】第４の実施の形態(実施例４)の光学構成を示す光路図。
【図５】第５の実施の形態(実施例５)の光学構成を示す光路図。
【図６】図４の要部拡大図。
【図７】実施例１においてミラーが微小偏芯していない状態でのスクリーン面上でのスポットダイアグラム。
【図８】実施例１において第４曲面ミラーを微小偏芯させた状態でのスクリーン面上でのスポットダイアグラム。
【図９】実施例１において第３曲面ミラーを微小偏芯させた状態でのスクリーン面上でのスポットダイアグラム。
【図１０】実施例１において第２曲面ミラーを微小偏芯させた状態でのスクリーン面上でのスポットダイアグラム。
【図１１】実施例１において第１曲面ミラーを微小偏芯させた状態でのスクリーン面上でのスポットダイアグラム。
【図１２】実施例２においてミラーが微小偏芯していない状態でのスクリーン面上でのスポットダイアグラム。
【図１３】実施例２において第４曲面ミラーを微小偏芯させた状態でのスクリーン面上でのスポットダイアグラム。
【図１４】実施例２において第３曲面ミラーを微小偏芯させた状態でのスクリーン面上でのスポットダイアグラム。
【図１５】実施例２において第２曲面ミラーを微小偏芯させた状態でのスクリーン面上でのスポットダイアグラム。
【図１６】実施例２において第１曲面ミラーを微小偏芯させた状態でのスクリーン面上でのスポットダイアグラム。
【図１７】実施例３においてミラーが微小偏芯していない状態でのスクリーン面上でのスポットダイアグラム。
【図１８】実施例３において第４曲面ミラーを微小偏芯させた状態でのスクリーン面上でのスポットダイアグラム。
【図１９】実施例３において第３曲面ミラーを微小偏芯させた状態でのスクリーン面上でのスポットダイアグラム。
【図２０】実施例３において第２曲面ミラーを微小偏芯させた状態でのスクリーン面上でのスポットダイアグラム。
【図２１】実施例３において第１曲面ミラーを微小偏芯させた状態でのスクリーン面上でのスポットダイアグラム。
【図２２】実施例４においてミラーが微小偏芯していない状態でのスクリーン面上でのスポットダイアグラム。
【図２３】実施例４において第１平面ミラーを微小偏芯させた状態でのスクリーン面上でのスポットダイアグラム。
【図２４】実施例５においてミラーが微小偏芯していない状態でのスクリーン面上でのスポットダイアグラム。
【図２５】実施例５において第１曲面ミラーを微小偏芯させた状態でのスクリーン面上でのスポットダイアグラム。
【符号の説明】
【０１３２】
Ｓｏ    表示素子面
Ｓｉ    スクリーン面
ＣＧ    カバーガラス
Ｍ１    第１曲面ミラー(曲面反射面を有する反射型光学素子)
Ｍ２    第２曲面ミラー(曲面反射面を有する反射型光学素子)
Ｍ３    第３曲面ミラー(曲面反射面を有する反射型光学素子)
Ｍ４    第４曲面ミラー(曲面反射面を有する反射型光学素子)
Ｆ１    第１平面ミラー(平面反射面を有する反射型光学素子)
Ｆ２    第２平面ミラー(平面反射面を有する反射型光学素子)
ＬＧ    屈折光学系
【図１】
2006154041.tif 000008
【図２】
2006154041.tif 000009
【図３】
2006154041.tif 000010
【図４】
2006154041.tif 000011
【図５】
2006154041.tif 000012
【図６】
2006154041.tif 000013
【図７】
2006154041.tif 000014
【図８】
2006154041.tif 000015
【図９】
2006154041.tif 000016
【図１０】
2006154041.tif 000017
【図１１】
2006154041.tif 000018
【図１２】
2006154041.tif 000019
【図１３】
2006154041.tif 000020
【図１４】
2006154041.tif 000021
【図１５】
2006154041.tif 000022
【図１６】
2006154041.tif 000023
【図１７】
2006154041.tif 000024
【図１８】
2006154041.tif 000025
【図１９】
2006154041.tif 000026
【図２０】
2006154041.tif 000027
【図２１】
2006154041.tif 000028
【図２２】
2006154041.tif 000029
【図２３】
2006154041.tif 000030
【図２４】
2006154041.tif 000031
【図２５】
2006154041.tif 000032